(57)【要約】  表示部１０５と、時刻データ取得部１０１と、現在時刻に基づいて電子時計２０の指示時刻を表示部１０５に表示し現在時刻と指示時刻との差分から時刻補正量を算出する制御部１０２と、時刻補正量を電子時計２０に送信する光源１０３とを備える電子機器１０、および、表示部２０８が示す時刻を修正する操作入力を受け付ける入力部２１０と、電子機器１０から時刻補正量を受信する太陽電池２０１と、時刻補正量に基づいて指針２０８２が示す時刻を修正する制御回路２０２とを備える電子時計２０を提供する。
2015072234.tif 000002
【特許請求の範囲】
【請求項１】
指針により時刻を示す表示部を有する時計と、電子機器とを備える時刻修正システムであって、
前記電子機器は、
表示部と、
現在時刻を取得する取得部と、
前記取得部が取得した現在時刻に基づいて、前記時計の時刻を合わせるための指示時刻を決定する決定部と、
前記決定部が決定した指示時刻を前記表示部に表示する表示制御部と、
前記取得部が取得した現在時刻と前記決定部が決定した指示時刻との差分から前記時計の時刻を補正するための時刻補正量を算出する時刻補正量算出部と、
前記時刻補正量算出部が算出した時刻補正量を前記時計に送信する送信部と、
を備え、
前記時計は、
前記表示部が示す時刻を修正する操作入力を受け付ける入力部と、
前記電子機器から前記時刻補正量を受信する受信部と、
前記受信部が受信した時刻補正量に基づいて前記指針が示す時刻を修正する制御部と、
を備えることを特徴とする時刻修正システム。
【請求項２】
前記時計の制御部は、前記入力部が時刻を修正する操作入力を受け付けると、前記指針の駆動を停止し、前記受信部が前記時刻補正量を受信すると、前記指針の駆動を再開する
ことを特徴とする請求項１に記載の時刻修正システム。
【請求項３】
前記電子機器は、前記時刻補正量算出部が算出した時刻補正量に基づいて、前記時計において修正に要する時間に応じた付加補正量を算出し、算出した付加補正量を前記時刻補正量に加算する付加補正量算出部
を備えることを特徴とする請求項１または請求項２に記載の時刻修正システム。
【請求項４】
前記電子機器の前記送信部は、前記時刻補正量とともに前記現在時刻を送信し、
前記時計の前記受信部は、前記時刻補正量とともに前記現在時刻を受信し、
前記時計は、現在時刻を計時する計時部を備え、
前記時計の前記制御部は、前記受信部が受信した現在時刻に基づいて、前記計時部が計時する現在時刻を修正する
ことを特徴とする請求項１から請求項３のいずれか１項に記載の時刻修正システム。
【請求項５】
前記指示時刻は、前記現在時刻に最も近い正時である
ことを特徴とする請求項１から請求項４のいずれか１項に記載の時刻修正システム。
【請求項６】
前記電子機器の前記送信部は、光信号を送信する光源であり、
前記時計の前記受信部は、光信号を受信する太陽電池である
ことを特徴とする請求項１から請求項５のいずれか１項に記載の時刻修正システム。
【請求項７】
指針により時刻を示す表示部を有する時計と、電子機器とを備える時刻修正システムにおける前記電子機器であって、
表示部と、
現在時刻を取得する取得部と、
前記取得部が取得した現在時刻に基づいて、前記時計の時刻を合わせるための指示時刻を決定する決定部と、
前記決定部が決定した指示時刻を前記表示部に表示する表示制御部と、
前記取得部が取得した現在時刻と前記決定部が決定した指示時刻との差分から前記時計の時刻を補正するための時刻補正量を算出する時刻補正量算出部と、
前記時刻補正量算出部が算出した時刻補正量を前記時計に送信する送信部と、
を備えることを特徴とする電子機器。
【請求項８】
指針により時刻を示す表示部を有する時計と、電子機器とを備える時刻修正システムにおける前記時計であって、
前記表示部が示す時刻を修正する操作入力を受け付ける入力部と、
前記電子機器から時刻を補正するための時刻補正量を受信する受信部と、
前記受信部が受信した時刻補正量に基づいて前記指針が示す時刻を修正する制御部と、
を備えることを特徴とする時計。
【請求項９】
指針により時刻を示す表示部を有する時計と、電子機器とを備える時刻修正システムにおける前記電子機器としてのコンピュータに、
現在時刻を取得するステップと、
前記取得した現在時刻に基づいて、前記時計の時刻を合わせるための指示時刻を決定するステップと、
前記決定した指示時刻を表示部に表示するステップと、
前記取得した現在時刻と前記決定した指示時刻との差分から前記時計の時刻を補正するための時刻補正量を算出するステップと、
前記算出した時刻補正量を前記時計に送信するステップと、
を実行させるためのプログラム。
【発明の詳細な説明】
【技術分野】
【０００１】
本発明は、時刻修正システム、電子機器、時計及びプログラムに関する。
本発明は、２０１３年１１月１２日に日本に出願された特願２０１３−２３４２５６に基づき優先権を主張し、同出願の全記載内容を本書において引用する。
【背景技術】
【０００２】
従来より、コンピュータ等の修正指示装置を用いて時計の時刻を修正する時刻修正システムが知られている。例えば、特許文献１に記載された技術では、修正指示装置は、時計が指示する指示時刻データの入力を受け付け、基準時刻データ及び指示時刻データを時計に送信する。時計は、修正指示装置から受信した基準時刻データ及び指示時刻データに基づいて指針の指示を修正する。
【先行技術文献】
【特許文献】
【０００３】
【特許文献１】特許４２００８３５号公報
【発明の概要】
【発明が解決しようとする課題】
【０００４】
しかしながら、特許文献１に記載された技術では、時計が受信した基準時刻データ及び指示時刻データに基づいてその差分を算出しているため、時計における演算処理が重くなり、時計の負荷が大きくなる、という問題がある。【０００５】
そこで、本発明は上述の事情を鑑みてなされたものであり、時計の負荷を軽減して、容易に時計の時刻を正しい時刻に修正することができる時刻修正システム、電子機器、時計及びプログラムを提供することを目的とする。
【課題を解決するための手段】
【０００６】
本発明の幾つかの態様は、指針により時刻を示す表示部を有する時計と、電子機器とを備える時刻修正システムであって、前記電子機器は、表示部と、現在時刻を取得する取得部と、前記取得部が取得した現在時刻に基づいて、前記時計の時刻を合わせるための指示時刻を決定する決定部と、前記決定部が決定した指示時刻を前記表示部に表示する表示制御部と、前記取得部が取得した現在時刻と前記決定部が決定した指示時刻との差分から前記時計の時刻を補正するための時刻補正量を算出する時刻補正量算出部と、前記時刻補正量算出部が算出した時刻補正量を前記時計に送信する送信部と、を備え、前記時計は、前記表示部が示す時刻を修正する操作入力を受け付ける入力部と、前記電子機器から前記時刻補正量を受信する受信部と、前記受信部が受信した時刻補正量に基づいて前記指針が示す時刻を修正する制御部と、を備えることを特徴とする時刻修正システムである。【０００７】
また、本発明の他の態様の時刻修正システムにおいて、前記時計の制御部は、前記入力部が時刻を修正する操作入力を受け付けると、前記指針の駆動を停止し、前記受信部が前記時刻補正量を受信すると、前記指針の駆動を再開する
ことを特徴とする。【０００８】
また、本発明の他の態様の時刻修正システムにおいて、前記電子機器は、前記時刻補正量算出部が算出した時刻補正量に基づいて、前記時計において修正に要する時間に応じた付加補正量を算出し、算出した付加補正量を前記時刻補正量に加算する付加補正量算出部を備えることを特徴とする。【０００９】
また、本発明の他の態様の時刻修正システムにおいて、前記電子機器の前記送信部は、前記時刻補正量とともに前記現在時刻を送信し、前記時計の前記受信部は、前記時刻補正量とともに前記現在時刻を受信し、前記時計は、現在時刻を計時する計時部を備え、前記時計の前記制御部は、前記受信部が受信した現在時刻に基づいて、前記計時部が計時する現在時刻を修正することを特徴とする。【００１０】
また、本発明の他の態様の時刻修正システムにおいて、前記指示時刻は、前記現在時刻に最も近い正時であることを特徴とする。【００１１】
また、本発明の他の態様の時刻修正システムにおいて、前記電子機器の前記送信部は、光信号を送信する光源であり、前記時計の前記受信部は、光信号を受信する太陽電池であることを特徴とする。【００１２】
また、本発明の他の態様は、指針により時刻を示す表示部を有する時計と、電子機器とを備える時刻修正システムにおける前記電子機器であって、表示部と、現在時刻を取得する取得部と、前記取得部が取得した現在時刻に基づいて、前記時計の時刻を合わせるための指示時刻を決定する決定部と、前記決定部が決定した指示時刻を前記表示部に表示する表示制御部と、前記取得部が取得した現在時刻と前記決定部が決定した指示時刻との差分から前記時計の時刻を補正するための時刻補正量を算出する時刻補正量算出部と、前記時刻補正量算出部が算出した時刻補正量を前記時計に送信する送信部と、を備えることを特徴とする電子機器である。【００１３】
また、本発明の他の態様は、指針により時刻を示す表示部を有する時計と、電子機器とを備える時刻修正システムにおける前記時計であって、前記表示部が示す時刻を修正する操作入力を受け付ける入力部と、前記電子機器から時刻を補正するための時刻補正量を受信する受信部と、前記受信部が受信した時刻補正量に基づいて前記指針が示す時刻を修正する制御部と、を備えることを特徴とする時計である。【００１４】
また、本発明の他の態様は、指針により時刻を示す表示部を有する時計と、電子機器とを備える時刻修正システムにおける前記電子機器としてのコンピュータに、現在時刻を取得するステップと、前記取得した現在時刻に基づいて、前記時計の時刻を合わせるための指示時刻を決定するステップと、前記決定した指示時刻を表示部に表示するステップと、前記取得した現在時刻と前記決定した指示時刻との差分から前記時計の時刻を補正するための時刻補正量を算出するステップと、前記算出した時刻補正量を前記時計に送信するステップと、を実行させるためのプログラムである。
【発明の効果】
【００１５】
本発明の幾つかの態様によれば、電子機器は、現在時刻から指示時刻を決定し、決定した指示時刻を表示する。ユーザは、表示された指示時刻に時計の指針を合わせる。そして、電子機器は、決定した指示時刻と現在時刻との差分から時刻補正量を算出し、算出した時刻補正量を時計に送信する。時計は、受信した時刻補正量に基づいて指針が示す時刻を修正する。これにより、時計が正しい現在時刻と時計が示す時刻との差分を算出する必要がなくなり、時計の負荷を軽減して、容易に時計の時刻を正しい時刻に修正することができる。
【図面の簡単な説明】
【００１６】
【図１】本発明の第１の実施形態による時刻修正システムの構成を示した概略図である。
【図２】第１の本実施形態による電子時計の一動作例を説明するためのタイミングチャートである。
【図３】第１の実施形態による電子機器が実行する時刻修正処理の処理手順を示したフローチャートである。
【図４】第１の実施形態による電子時計が実行する時刻修正処理の処理手順を示したフローチャートである。
【図５】第２の実施形態による電子機器が実行する時刻修正処理の処理手順を示したフローチャートである。
【発明を実施するための形態】
【００１７】
以下、本発明の実施形態について、図面を参照しながら説明する。なお、各図において同一部分には同一符号を付している。
【００１８】
［第１の実施形態］
まず、本発明の第１の実施形態について説明する。図１は、本実施形態による時刻修正システム１の構成を示した概略図である。図示する例では、時刻修正システム１は、電子機器１０と電子時計２０とを含んでいる。電子機器１０は、例えば、スマートフォンや、携帯電話機や、タブレット端末等の電子機器である。図示する例では、電子機器１０は、時刻データ取得部１０１と、制御部１０２と、光源１０３と、表示部１０５と、入力部１０６とを備えている。
【００１９】
時刻データ取得部１０１は、現在時刻（時分秒）を取得する。例えば、時刻データ取得部１０１は、インターネット上の時刻サーバにアクセスして現在時刻を取得する方法や、ＧＰＳ（Ｇｌｏｂａｌ  Ｐｏｓｉｔｉｏｎｉｎｇ  Ｓｙｓｔｅｍ）を用いて現在時刻を取得する方法や、基地局からの制御信号から現在時刻を取得する方法を用いる。なお、現在時刻の取得方法は、どのような方法でもよい。
【００２０】
制御部１０２は、電子機器１０が備える各部の制御を行う。また、制御部１０２（決定部）は、時刻データ取得部１０１が取得した現在時刻に基づいて、指示時刻を決定する。具体的には、制御部１０２は、現在時刻に最も近い正時を指示時刻とする。すなわち、指示時刻は、ユーザが時刻合わせし易い時刻である。そして、制御部１０２（表示制御部）は、決定した指示時刻を表示部１０５に表示する。また、制御部１０２（時刻補正量算出部）は、決定した指示時刻と時刻データ取得部１０１が取得した現在時刻との差分から電子時計２０の時刻を補正するための時刻補正量を算出する。続いて、制御部１０２は、算出した時刻補正量を示す時刻補正量データを、光源１０３を用いて光信号として出力する。このとき、制御部１０２は、同期信号を出力し、その後スタート信号を出力し、その後時刻補正量データを出力する。
【００２１】
光源１０３は、例えば、電子機器１０が有するフラッシュ用のＬＥＤ（Ｌｉｇｈｔ  Ｅｍｉｔｔｉｎｇ  Ｄｉｏｄｅ）や、液晶ディスプレイのバックライト等である。光源１０３は、時刻補正量データを示す光信号を電子時計２０に対して送信する送信部として動作する。表示部１０５は、液晶ディスプレイ（ＬＣＤ、Ｌｉｑｕｉｄ  Ｃｒｙｓｔａｌ  Ｄｉｓｐｌａｙ）等であり、情報を表示する。入力部１０６は、スイッチ等を備え、入力を受け付ける。
【００２２】
電子時計２０は、アナログ表示で時刻を表示する時計である。図示する例では、電子時計２０は、太陽電池２０１と、制御回路２０２と、スイッチ２０３と、二次電池２０４と、ダイオード２０５と、基準信号生成回路２０６と、ステッピングモータ２０７と、表示部２０８と、記憶部２０９と、入力部２１０とを備えている。表示部２０８は、文字板２０８１と、指針２０８２と、日付部２０８３とを備えている。
【００２３】
太陽電池２０１は、充電期間では、光（太陽、照明など）を受光して電気エネルギーに変換する発電部として動作する。また、太陽電池２０１は、通信期間では、電子機器１０と光通信を行い、電子機器１０から時刻補正量データを示す光信号を受信する受信部として動作する。充電期間および通信期間については後述する。
【００２４】
制御回路２０２は、電子時計２０が備える各部の制御を行う。また、制御回路２０２は、太陽電池２０１による二次電池２０４への充電制御を行う。また、制御回路２０２は、二次電池２０４の過充電防止制御を行う。また、制御回路２０２は、太陽電池２０１を用いて光通信を行う。例えば、制御回路２０２は、電源端子とＧＮＤ端子に接続された二次電池２０４が出力する電力により作動する。このとき、制御回路２０２は、二次電池２０４の出力電圧を検出することで、二次電池２０４の充電状態（フル充電、過放電など）を判定し、所定の充電制御を行う。例えば、制御回路２０２は、二次電池２０４の充電状態に応じて、制御端子から出力する制御信号によってスイッチ２０３のオン／オフ制御を行う。これにより、制御回路２０２は、太陽電池２０１と二次電池２０４とを接続することで二次電池２０４への充電を行う。また、制御回路２０２は、太陽電池２０１と二次電池２０４とを切断することで、二次電池２０４への過充電を防止する。
【００２５】
また、制御回路２０２は、基準信号生成回路２０６が出力する基準信号に基づいてスイッチ制御信号を出力し、スイッチ２０３のオン／オフ制御を行う。これにより、制御回路２０２は、太陽電池２０１と二次電池２０４の接続と、太陽電池２０１と二次電池２０４の切り離しとを行う。
【００２６】
また、制御回路２０２（制御部）は、入力部２１０が時刻を修正する操作入力を受け付けると、計時（指針２０８２の駆動）を停止する。その後、制御回路２０２は、スイッチ２０３をＯＦＦの状態とし、通信期間に移行する。
【００２７】
また、制御回路２０２（制御部）は、通信期間において、入力端子に入力された太陽電池２０１の出力電圧を検出し、検出した電圧を電気信号に変換することで、外部機器（本実施形態では、電子機器１０）から光通信によって送信される時刻補正量データを受信する。そして、制御回路２０２は、受信した時刻補正量データに基づいてステッピングモータ２０７を駆動し、指針２０８２が示す時刻を修正するとともに、計時（指針２０８２の駆動）を再開する。
【００２８】
スイッチ２０３は、制御回路２０２から入力されるスイッチ制御信号に基づいて、太陽電池２０１と二次電池２０４の接続と、太陽電池２０１と二次電池２０４の切り離しとを行う。二次電池２０４は、電子時計２０が備える各部に電力を供給する。ダイオード２０５は、二次電池２０４に対する電流の逆流を防止する。基準信号生成回路２０６は、発振回路（例えば３２ｋＨｚ）と分周回路からなり、例えば１Ｈｚの基準信号を生成する。
【００２９】
ステッピングモータ２０７は、制御回路２０２から入力されるパルス信号に基づいて、指針２０８２と日付部２０８３とを駆動する（回転させる）。表示部２０８は、文字板２０８１と、指針２０８２と、日付部２０８３とを用いて、時刻および日時をアナログ表示で表示する。表示部２０８は、文字板２０８１及び指針２０８２により時刻を示し、日付部２０８３により日付を示す。記憶部２０９は、例えば不揮発性メモリであり、電子時計２０が備える各部が用いるデータを記憶する。入力部２１０は、ユーザが入力する操作入力を受け付ける。例えば、入力部２１０は、竜頭やボタン等を備え、表示部２０８が示す時刻を修正する操作入力を受け付ける。
【００３０】
次に、電子機器１０と電子時計２０との間の通信方法について説明する。本実施形態では、電子機器１０は光源１０３を用いてデータを送信する。例えば、電子機器１０は、「１」を送信する際には光源１０３を発光させ、「０」を送信する際には光源１０３を消灯させる。また、電子時計２０は、太陽電池２０１を用いてデータを受信する。例えば、電子時計２０の制御回路２０２は、太陽電池２０１が光を受光して電圧を発生した場合には「１」を受信したと判定し、太陽電池２０１が電圧を発生しない場合には「０」を受信したと判定する。
【００３１】
太陽電池２０１と二次電池２０４とが接続している場合、二次電池２０４の出力電圧により、太陽電池２０１が発生した電圧を正確に判定することができない。そこで、本実施形態では、データの受信時には、太陽電池２０１が発生する電圧をより精度良く検出するために、スイッチ２０３を制御し、太陽電池２０１と二次電池２０４とを切り離す。なお、太陽電池２０１と二次電池２０４とを切り離している期間を「通信期間（ＯＦＦ期間）」とする。
【００３２】
また、通信期間以外の期間では、スイッチ２０３を制御し、太陽電池２０１と二次電池２０４とを接続する。太陽電池２０１と二次電池２０４とを接続している期間を「充電期間（ＯＮ期間）」とする。これにより、受信期間においては、より精度良くデータを受信することができる。
【００３３】
また、通信期間では二次電池２０４を充電することができない。そのため、通信期間は短い方が望ましい。従って、本実施形態では、電子時計２０は、通常時には充電期間とし、一定期間毎に短い通信期間を設ける。そして、電子時計２０は、短い通信期間中に電子機器１０から同期信号を受信した場合、時刻補正量データを受信するまで通信期間を継続する。一方、電子時計２０は、通信期間中に電子機器１０から同期信号を受信しない場合、充電期間とする。
【００３４】
図２（Ａ）は、電子機器１０が電子時計２０に対して送信する同期信号と、スタート信号と、時刻補正量データとの送信タイミングを示したタイミングチャートである。図２（Ｂ）は、電子時計２０の制御回路２０２が出力するスイッチ制御信号の出力タイミングを示したタイミングチャートである。
【００３５】
図２（Ａ）に示す通り、電子機器１０は、時刻補正量データを送信する際には、同期信号を送信する（時刻ｔ３〜時刻ｔ５）。その後、電子機器１０はスタート信号を送信する（時刻ｔ６〜時刻ｔ７）。その後、電子機器１０は時刻補正量データを送信する（時刻ｔ８〜時刻ｔ９）。
【００３６】
また、図２（Ｂ）に示す通り、電子時計２０は、充電期間に移行してから一定時間経過した後、スイッチ２０３をＯＦＦにし、通信期間に移行する（時刻ｔ１）。また、電子時計２０は、通信期間に移行してから同期信号を受信せず一定時間経過した後、スイッチ２０３をＯＮにし、充電期間に移行する（時刻ｔ２）。また、電子時計２０は、充電期間に移行してから一定時間経過した後、スイッチ２０３をＯＦＦにし、通信期間に移行する（時刻ｔ４）。時刻ｔ４では、電子機器１０から同期信号が送信されているため、電子時計２０は同期信号を受信する。同期信号を受信したことにより、電子時計２０は、時刻補正量データの受信が完了する時刻ｔ９まで通信期間とする。また、電子時計２０は、時刻補正量データの受信が完了した場合、充電期間に移行する（時刻ｔ９）。以降、同様に、電子時計２０は、充電期間と通信期間とを繰り返し、電子機器１０から送信される時刻補正量データを受信する。
【００３７】
上述したように、電子時計２０は、充電期間と、充電期間よりも短い通信期間とを繰り返す。また、短い通信期間中に同期信号を受信した場合、時刻補正量データの受信を完了するまで通信期間とする。これにより、電子時計２０は、充電期間をより長くしつつ、より精度良く光信号を受信することができる。
【００３８】
次に、図３及び図４を参照して、時刻修正システム１における時刻修正方法について説明する。図３は、本実施形態における電子機器１０が実行する時刻修正処理の処理手順を示したフローチャートである。
【００３９】
（ステップＳ１０１）ユーザは、電子機器１０の入力部１０６を操作し、時刻修正指示の入力を行う。電子機器１０の入力部１０６は、時刻修正指示の入力を受け付けた場合、ステップＳ１０２の処理に進む。
【００４０】
（ステップＳ１０２）時刻データ取得部１０１は、正確な現在時刻を取得する。その後、ステップＳ１０３の処理に進む。
（ステップＳ１０３）制御部１０２は、ステップＳ１０２の処理で時刻データ取得部１０１が取得した現在時刻に基づいて指示時刻を決定する。例えば、制御部１０２は、現在時刻に最も近い正時を指示時刻とする。具体的には、制御部１０２は、現在時刻が「１３：５５（１３時５５分）」である場合には、指示時刻を「１４：００（１４時）」とする。その後、ステップＳ１０４の処理に進む。
【００４１】
（ステップＳ１０４）制御部１０２は、ステップＳ１０３の処理で決定した指示時刻を表示部１０５に表示する。このとき、制御部１０２は、「指示時刻に時計を合わせて下さい」等の指示を指示時刻とともに表示部１０５に表示する。ユーザは、表示された指示時刻に電子時計２０の指針２０８２を合わせる。その後、ステップＳ１０５の処理に進む。
【００４２】
（ステップＳ１０５）制御部１０２は、入力部１０６により時刻補正量送信指示の入力を受け付ける。例えば、制御部１０２は、「時刻を合わせたら完了ボタンを押して下さい」等の指示と完了ボタンとを表示部１０５に表示する。制御部１０２は、入力部１０６を介して完了ボタンが押下された場合に、時刻補正量送信指示が入力されたと判定する。ユーザは、電子時計２０の指針２０８２を指示時刻に合わせると、入力部１０６を操作して完了ボタンを押下する。制御部１０２は、入力部１０６が完了ボタンの押下を受け付けた場合、ステップＳ１０６の処理に進む。
【００４３】
（ステップＳ１０６）時刻データ取得部１０１は、正確な現在時刻を取得する。その後、ステップＳ１０７の処理に進む。
【００４４】
（ステップＳ１０７）制御部１０２は、ステップＳ１０３の処理で決定した指示時刻と、ステップＳ１０６の処理で時刻データ取得部１０１が取得した現在時刻との差分を算出することで、電子時計２０の時刻のずれを算出する。また、制御部１０２は、電子時計２０の時刻のずれを解消するために、電子時計２０の指針２０８２を駆動する量を算出する。すなわち、ステッピングモータ２０７を駆動する量を算出する。以下、電子時計２０の時刻のずれを解消するために、電子時計２０のステッピングモータ２０７を駆動する量を時刻補正量とする。例えば、ステッピングモータ２０７が１ステップ動作することで指針２０８２が１秒進むとする。この場合において、電子時計２０の表示部２０８が表示する時刻が１０秒遅れていた場合には、時刻補正量は「１０」である。また、時刻補正量を示すデータを時刻補正量データとする。
その後、ステップＳ１０８の処理に進む。
【００４５】
（ステップＳ１０８）制御部１０２は、光源１０３を制御し、同期信号を送信する。その後、ステップＳ１０９の処理に進む。
（ステップＳ１０９）制御部１０２は、光源１０３を制御し、スタート信号を送信する。その後、ステップＳ１１０の処理に進む。
（ステップＳ１１０）制御部１０２は、光源１０３を制御し、時刻補正量データを送信する。その後、処理を終了する。
【００４６】
図４は、本実施形態による電子時計２０が実行する時刻修正処理の処理手順を示したフローチャートである。
（ステップＳ２０１）制御回路２０２は、スイッチ２０３を制御し、一定期間毎に通信期間と充電期間との移行を制御する。ユーザは、上述したステップＳ１０４の処理で電子機器１０が指示時刻を表示すると、電子時計２０の入力部２１０を操作し、電子時計２０の指針２０８２を指示時刻に合わせる。例えば、ユーザは、入力部２１０が備える竜頭を引き出して回転させることにより指針２０８２を動かす。電子時計２０の制御回路２０２は、一度引き出された竜頭が再度押し込まれた場合に、時刻の修正が完了したと判定する。制御回路２０２は、時刻の修正が完了した場合、ステップＳ２０２の処理に進む。
【００４７】
（ステップＳ２０２）制御回路２０２は、計時を停止する。その後、ステップＳ２０３の処理に進む。
（ステップＳ２０３）制御回路２０２は、スイッチ２０３をＯＦＦの状態とし、通信期間に移行する。その後、ステップＳ２０４の処理に進む。
【００４８】
（ステップＳ２０４）制御回路２０２は、太陽電池２０１を介して同期信号を受信したか否かを判定する。制御回路２０２は、同期信号を受信したと判定した場合にはステップＳ２０５の処理に進み、それ以外の場合にはステップＳ２０４の処理に戻る。
（ステップＳ２０５）制御回路２０２は、太陽電池２０１を介してスタート信号と時刻補正量データとを受信する。その後、ステップＳ２０６の処理に進む。
（ステップＳ２０６）制御回路２０２は、スイッチ２０３をＯＮの状態とし、充電期間に移行する。その後、ステップＳ２０７の処理に進む。
【００４９】
（ステップＳ２０７）制御回路２０２は、ステップＳ２０５の処理で受信した時刻補正量データに基づいて、時刻補正量を設定する。その後、ステップＳ２０８の処理に進む。
（ステップＳ２０８）制御回路２０２は、ステッピングモータ２０７を１ステップ駆動する。その後、ステップＳ２０９の処理に進む。
【００５０】
（ステップＳ２０９）制御回路２０２は、設定されている時刻補正量から１を減算し、減算後の値を時刻補正量として設定する。その後、ステップＳ２１０の処理に進む。
【００５１】
（ステップＳ２１０）制御回路２０２は、設定されている時刻補正量が０であるか否かを判定する。制御回路２０２は、設定されている時刻補正量が０である場合にはステップＳ２１１の処理に進み、それ以外の場合にはステップＳ２０８の処理に戻る。
（ステップＳ２１１）制御回路２０２は、計時を再開する。その後、処理を終了する。
【００５２】
上述したとおり、本実施形態では、電子機器１０は、現在時刻に基づいて、電子時計２０の時刻を合わせるための指示時刻を決定し、決定した指示時刻を表示する。指示時刻は、例えば、現在時刻に最も近い正時である。すなわち、指示時刻はユーザが時刻合わせをし易い時刻である。これにより、ユーザは容易に時計の指針２０８２を指示時刻に合わせることができる。そして、電子機器１０は、ユーザが時刻合わせを完了すると、現在時刻と指示時刻との差分に基づいて時刻補正量を算出し、算出した時刻補正量を電子時計２０に送信する。電子時計２０は、受信した時刻補正量に基づいて表示部２０８が示す時刻を修正する。これにより、電子時計２０の示す時刻を正しい時刻に、より正確にかつ容易に修正することができる。また、電子機器１０が時刻補正量を算出しているため、電子時計２０の処理負荷を軽減することができる。また、予め現在時刻に近い指示時刻に電子時計２０の時刻を合わせるため、電子時計２０が時刻補正量に基づいて時刻を修正する際のステッピングモータ２０７の駆動量を少なくすることができる。
【００５３】
また、電子機器１０と電子時計２０とは、上述した光通信方法により時刻補正量を送受信するため、電子機器１０と電子時計２０とを有線で繋ぐためのコネクタや無線通信するためのアンテナを電子機器１０や電子時計２０に搭載する必要がない。すなわち、電子機器１０は光源１０３、電子時計２０は太陽電池２０１といった標準装備で通信が可能であるため、新たなデバイスを搭載して電子機器１０や電子時計２０のデザイン性を損ねることがない。
【００５４】
［第２の実施形態］
次に、本発明の第２の実施形態について説明する。本実施形態における時刻修正システム１の構成は、図１に示す第１の実施形態と同様である。また、本実施形態における時刻修正システム１の光通信方法は、図２に示す光通信方法と同様である。本実施形態と第１の実施形態とは、電子機器１０が時刻補正量に付加補正量を加算して、時刻補正量データを電子時計２０に送信する点で異なる。付加補正量とは、電子時計２０において時刻を修正するために要する時間に対応する、電子時計２０のステッピングモータ２０７を駆動する量である。付加補正量は、時刻補正量が大きいほど大きく、時刻補正量が小さいほど小さい。これは、時刻補正量が大きいほど時刻を修正するために時間を要すると考えられるためである。
【００５５】
具体的には、電子機器１０の制御部１０２（付加補正量算出部）は、時刻補正量を算出し、算出した時刻補正量に基づいて付加補正量を算出する。そして、制御部１０２は、時刻補正量に付加補正量を加算した時刻補正量データを、光源１０３を用いて光信号として出力する。電子機器１０の他の構成は第１の実施形態と同様であるため、説明を省略する。また、電子時計２０の構成は第１の実施形態と同様であるため、説明を省略する。
【００５６】
次に、図５を参照して、本実施形態による時刻修正システム１における時刻修正方法について説明する。図５は、本実施形態による電子機器１０が実行する時刻修正処理の処理手順を示したフローチャートである。
【００５７】
（ステップＳ３０１）ユーザは、電子機器１０の入力部１０６を操作し、時刻修正指示の入力を行う。電子機器１０の入力部１０６は、時刻修正指示の入力を受け付けた場合、ステップＳ３０２の処理に進む。
【００５８】
（ステップＳ３０２）時刻データ取得部１０１は、正確な現在時刻を取得する。その後、ステップＳ３０３の処理に進む。
（ステップＳ３０３）制御部１０２は、ステップＳ３０２の処理で時刻データ取得部１０１が取得した現在時刻に基づいて指示時刻を決定する。例えば、制御部１０２は、現在時刻に最も近い正時を指示時刻とする。その後、ステップＳ３０４の処理に進む。
【００５９】
（ステップＳ３０４）制御部１０２は、ステップＳ３０３の処理で決定した指示時刻を表示部１０５に表示する。このとき、制御部１０２は、「指示時刻に時計を合わせて下さい」等の指示を指示時刻とともに表示部１０５に表示する。ユーザは、表示された指示時刻に電子時計２０の指針２０８２を合わせる。その後、ステップＳ３０５の処理に進む。
【００６０】
（ステップＳ３０５）制御部１０２は、入力部１０６により時刻補正量送信指示の入力を受け付ける。例えば、制御部１０２は、「時刻を合わせたら完了ボタンを押して下さい」等の指示と完了ボタンとを表示部１０５に表示する。制御部１０２は、入力部１０６を介して完了ボタンが押下された場合に、時刻補正量送信指示が入力されたと判定する。ユーザは、電子時計２０の指針２０８２を指示時刻に合わせると、入力部１０６を操作して完了ボタンを押下する。制御部１０２は、完了ボタンの押下を受け付けた場合、ステップＳ３０６の処理に進む。
【００６１】
（ステップＳ３０６）時刻データ取得部１０１は、正確な現在時刻を取得する。その後、ステップＳ３０７の処理に進む。
【００６２】
（ステップＳ３０７）制御部１０２は、ステップＳ３０３の処理で決定した指示時刻と、ステップＳ３０６の処理で時刻データ取得部１０１が取得した現在時刻との差分に基づいて時刻補正量を算出する。その後、ステップＳ３０８の処理に進む。
【００６３】
（ステップＳ３０８）制御部１０２は、ステップＳ３０７の処理で算出した時刻補正量に基づいて付加補正量を算出する。その後、ステップＳ３０９の処理に進む。
（ステップＳ３０９）制御部１０２は、ステップＳ３０７の処理で算出した時刻補正量に、ステップＳ３０８の処理で算出した付加補正量を加算する。その後、ステップＳ３１０の処理に進む。
【００６４】
（ステップＳ３１０）制御部１０２は、光源１０３を制御し、同期信号を送信する。その後、ステップＳ３１１の処理に進む。
（ステップＳ３１１）制御部１０２は、光源１０３を制御し、スタート信号を送信する。その後、ステップＳ３１２の処理に進む。
（ステップＳ３１２）制御部１０２は、光源１０３を制御し、時刻補正量データを送信する。その後、処理を終了する。
【００６５】
本実施形態における電子時計２０が実行する時刻修正処理の処理手順は、図４に示す第１の実施形態における電子時計２０が実行する時刻修正処理の処理手順と同様であるため、その説明を省略する。
【００６６】
上述したとおり、本実施形態では、電子機器１０は、算出した時刻補正量に基づき付加補正量を算出し、時刻補正量に付加補正量を加算した時刻補正量データを電子時計２０に送信する。すなわち、電子機器１０及び電子時計２０は、時刻の修正に要する時間も考慮して時刻を修正するため、第１の実施形態の効果に加えて、より正確に時刻を修正することができる。
【００６７】
なお、上述した実施形態における電子機器１０または電子時計２０が備える各部の機能全体あるいはその一部は、これらの機能を実現するためのプログラムをコンピュータ読み取り可能な記録媒体に記録して、この記録媒体に記録されたプログラムをコンピュータシステムに読み込ませ、実行することによって実現しても良い。なお、ここでいう「コンピュータシステム」とは、ＯＳや周辺機器等のハードウェアを含むものとする。
【００６８】
また、「コンピュータ読み取り可能な記録媒体」とは、フレキシブルディスク、光磁気ディスク、ＲＯＭ、ＣＤ−ＲＯＭ等の可搬媒体、コンピュータシステムに内蔵されるハードディスク等の記憶部のことをいう。さらに「コンピュータ読み取り可能な記録媒体」とは、インターネット等のネットワークや電話回線等の通信回線を介してプログラムを送信する場合の通信線のように、短時間の間、動的にプログラムを保持するもの、その場合のサーバやクライアントとなるコンピュータシステム内部の揮発性メモリのように、一定時間プログラムを保持しているものも含んでも良い。また上記プログラムは、前述した機能の一部を実現するためのものであっても良く、さらに前述した機能をコンピュータシステムにすでに記録されているプログラムとの組み合わせで実現できるものであっても良い。
【００６９】
以上、本発明の実施形態について説明したが、本発明は、上記実施形態に限定されるものではなく、本発明の趣旨を逸脱しない範囲において種々の変更を加えることが可能である。
【００７０】
例えば、上述した実施形態では、電子時計２０は、充電期間と光通信を行う通信期間とを所定の周期で繰り返しているが、これに限らず、二次電池２０４の充電状態に応じて、スイッチ２０３を制御して充電期間と通信期間とを切り替えてもよい。或いは、電子時計２０は、通信期間では、まず、低通信レートで同期信号を検出し、同期信号検出後、高通信レート（例えば低速通信レートの４倍）に切り替えて、スタート信号とデータ信号とを受信してもよい。これにより、電子機器１０及び電子時計２０の消費電力を低減することができる。
【００７１】
また、上述した実施形態では、電子時計２０は、表示部２０８の示す時刻のみを修正しているが、時刻に加えて表示部２０８の示す日付を合わせて修正してもよい。この場合、電子機器１０の時刻データ取得部１０１は、現在日時（現在時刻（時分秒）及び現在日付（年月日））を取得する。また制御部１０２は、時刻データ取得部１０１が取得した現在日付に基づいて、指示日付を決定する。ユーザは、電子機器１０の表示部１０５に表示された指示日付に電子時計２０の日付部２０８３を合わせる。制御部１０２は、指示日付と、時刻データ取得部１０１が取得した現在日付との差分から日付を補正するための日付補正量を算出する。そして、制御部１０２は、時刻補正量と日付補正量とを示すデータを電子時計２０に送信する。電子時計２０の制御回路２０２は、受信した時刻補正量と日付補正量とに基づいて、表示部２０８が示す時刻及び日付を修正する。
【符号の説明】
【００７２】
１・・・時刻修正システム、１０・・・電子機器、２０・・・電子時計、１０１・・・時刻データ取得部、１０２・・・制御部、１０３・・・光源、１０５・・・表示部、１０６・・・入力部、２０１・・・太陽電池、２０２・・・制御回路、２０３・・・スイッチ、２０４・・・二次電池、２０５・・・ダイオード、２０６・・・基準信号生成回路、２０７・・・ステッピングモータ、２０８・・・表示部、２０９・・・記憶部、２１０・・・入力部、２０８１・・・文字板、２０８２・・・指針、２０８３・・・日付部
【図１】
2015072234.tif 000003
【図２】
2015072234.tif 000004
【図３】
2015072234.tif 000005
【図４】
2015072234.tif 000006
【図５】
2015072234.tif 000007
【国際調査報告】
2015072234.tif 000008
2015072234.tif 000009
2015072234.tif 000010
2015072234.tif 000011